(57)【要約】  放送チャンネルについての検索情報を提供するための放送検索リストを動的に構成して提供する放送受信装置及び放送チャンネル情報の提供方法を提供する。複数のチャンネルのうち一つのチャンネルをチューニングして受信される多数のデジタル放送信号のうち一つの放送信号を出力するチューナ部と、出力された放送信号に含まれたサービス情報を解釈する放送信号処理部と、放送信号処理部から解釈されたサービス情報を保存する保存部と、サービス情報を利用して放送検索リストを動的に生成し、放送検索リストを提供するための画面を生成する制御部と、を備える放送受信装置である。これにより、放送チャンネルについての検索情報を提供するための放送検索リストを動的に変更して提供しうる。
2009518938.tif 000002
【特許請求の範囲】
【請求項１】
複数のチャンネルのうち一つのチャンネルをチューニングして受信される多数のデジタル放送信号のうち一つの放送信号を出力するチューナ部と、
前記出力された放送信号に含まれたサービス情報を解釈する放送信号処理部と、
前記放送信号処理部から解釈されたサービス情報を保存する保存部と、
前記サービス情報を利用して放送検索リストを動的に生成し、前記放送検索リストを提供するための画面を生成する制御部と、を備えることを特徴とする放送受信装置。
【請求項２】
前記制御部は、前記保存部に保存されていないサービス情報が受信されれば、前記受信されたサービス情報を追加して保存するか、または前記保存されたサービス情報が所定の時間の間に受信されない場合、前記受信されないサービス情報を削除するように前記保存部を制御することを特徴とする請求項１に記載の放送受信装置。
【請求項３】
前記保存部は、
放送サービス提供者別地域別のチャンネル情報を保存し、
前記放送サービス提供者別地域別のチャンネル情報は、国家を識別できる国家情報、国家情報の下位ディレクトリ情報であって該当国家に属する地域を識別できる地域情報、及び地域情報の下位ディレクトリ情報であって該当地域内で提供されるアンサンブル並びに前記アンサンブルを受信するためのチャンネル情報を含むアンサンブル情報を含むことを特徴とする請求項１に記載の放送受信装置。
【請求項４】
前記国家情報及び／または前記地域情報に対する選択信号を入力されるユーザインターフェース部をさらに備え、
前記制御部は、前記ユーザインターフェース部から受信される国家情報及び／または地域情報に対する選択信号に基づいて、前記アンサンブル情報を前記保存部から読み込んで出力部に出力するように制御することを特徴とする請求項３に記載の放送受信装置。
【請求項５】
前記制御部は、
前記ユーザインターフェース部を通じて受信される前記アンサンブル情報に対するユーザ選択信号に基づいて選択されたアンサンブルを受信するためのチャンネルをスキャニングするように前記チューナ部を制御し、前記チャンネルを通じて伝えられるサービス情報を解釈するように前記放送信号処理部を制御し、前記解釈されたサービス情報を利用して放送検索リストを動的に生成することを特徴とする請求項４に記載の放送受信装置。
【請求項６】
前記放送検索リストを提供するための画面を出力する出力部をさらに備え、
前記制御部は、前記選択信号によって選択された国家情報及び地域情報、前記保存部に保存されていた選択された国家及び／または地域に対するアンサンブル情報、及び前記解釈されるサービス情報を利用して構成される放送検索リストを提供する画面を生成し、前記生成された画面を前記出力部に出力することを特徴とする請求項５に記載の放送受信装置。
【請求項７】
前記制御部は、前記保存部に保存されたサービス情報に対するスキャニング如何を表すために、サービス情報に対するスキャニング如何を表す情報を付加して、前記放送検索リストを提供するための画面を生成することを特徴とする請求項１に記載の放送受信装置。
【請求項８】
前記制御部は、放送信号処理部から生成されるアンサンブルのビットストリームに対してＳＮＲを計算して受信状態が良好であるか否かを決定し、前記受信状態を表す情報を付加して、前記放送検索リストを提供するための画面を生成することを特徴をする請求項１に記載の放送受信装置。
【請求項９】
所定のデジタル放送チャンネルを通じて伝えられるサービス情報を保存するステップと、
前記サービス情報を利用して放送検索リストを動的に生成するステップと、
前記放送検索リストを提供するための画面を生成するステップと、を含むことを特徴とする放送チャンネル情報の提供方法。
【請求項１０】
前記放送検索リストを動的に生成するステップは、
新たなサービス情報が受信されれば、前記受信されたサービス情報を追加して保存するか、または予め保存されたサービス情報が所定の時間の間に受信されない場合、前記受信されないサービス情報を削除するステップを含むことを特徴とする請求項９に記載の放送チャンネル情報の提供方法。
【請求項１１】
ユーザインターフェースを通じて国家情報及び／または地域情報に対する選択信号を受信するステップと、
前記国家情報及び／または前記地域情報に基づいて受信しうるアンサンブル情報を提供するステップと、
前記アンサンブル情報に対する選択信号に基づいて選択されたアンサンブル情報を受信するためのチャンネルをスキャニングするステップと、
前記スキャニングを通じて受信されるサービス情報を解釈するステップと、をさらに含むことを特徴とする請求項９に記載の放送チャンネル情報の提供方法。
【請求項１２】
前記放送検索リストを動的に生成するステップは、
前記選択信号によって選択された国家情報及び地域情報、前記選択された国家及び地域で受信されるアンサンブル情報及び前記サービス情報を利用して構成される放送検索リストを動的に生成するステップをさらに含むことを特徴とする請求項１１に記載の放送チャンネル情報の提供方法。
【請求項１３】
前記画面を生成するステップは、
前記サービス情報についてのスキャニング状態を表す情報を付加して、前記放送検索リストを提供するための画面を生成するステップをさらに含むことを特徴とする請求項９に記載の放送チャンネル情報の提供方法。
【請求項１４】
画面を生成するステップは、
前記放送信号についての受信状態を表す情報を付加して、前記放送検索リストを提供するための画面を生成することを特徴とする請求項９に記載の放送チャンネル情報の提供方法。
【請求項１５】
請求項９ないし１４のうち何れか一項に記載の放送チャンネル情報の提供方法を具現するためのプログラムを記録したコンピュータで読み取り可能な記録媒体。
【発明の詳細な説明】
【技術分野】
【０００１】
本発明は、デジタル放送を受信して提供する装置及び方法に係り、さらに詳細には、放送チャンネルについての検索情報を提供するための放送検索リストを動的に構成して提供する放送受信装置及び放送チャンネル情報の提供方法に関する。
【背景技術】
【０００２】
デジタルオーディオ放送（ＤＡＢ：Ｄｉｇｉｔａｌ  Ａｕｄｉｏ  Ｂｒｏａｄｃａｓｔｉｎｇ）は、高い圧縮率を有する最新音声符号化方法を使用して、ＣＤレベルの高品質オーディオサービスだけではなく、天気、交通、娯楽及び映像などの多様な付加データサービスを提供する。ヨーロッパで使用しているＥＵＲＥＫＡ−１４７  ＤＡＢは、ＭＰＥＧ（Ｍｏｖｉｎｇ  Ｐｉｃｔｕｒｅｓ  Ｅｘｐｅｒｔｓ  Ｇｒｏｕｐ）オーディオレイヤIIに基づいた高品質オーディオ圧縮技術を使用して、ＣＤレベルのオーディオサービス及び多様な付加データサービスを提供する。ＤＡＢからさらに発展した形態のデジタル放送として、デジタルマルチメディア放送（ＤＭＢ：Ｄｉｇｉｔａｌ  Ｍｕｌｔｉｍｅｄｉａ  Ｂｒｏａｄｃａｓｔｉｎｇ）がある。ＤＭＢは、オーディオ、ビデオ、データ放送を何れも提供する。ＤＭＢは、伝送手段によって地上波ＤＭＢと衛星ＤＭＢとに区分される。ＤＭＢのオーディオ放送には、ＥＵＲＥＫＡ−１４７のようなＤＡＢ規格が利用される。
【０００３】
地上波ＤＭＢ放送受信機は、ユーザが放送チャンネルに対するスキャンを要請する入力信号を入力した場合に、放送チャンネルをスキャンする。次いで、ユーザが再びチャンネルを検索する時には、スキャンされて保存されたチャンネル情報を利用するため、スキャニングした時間と検索時間との間に変更されたサービスをチャンネル検索リストに反映できなかった。したがって、ユーザは、放送サービスを検索するとき、それ以上サービスされていない放送サービスを選択するか、または新たに追加されて放送されている放送サービスを選択できないという問題点がある。また、放送チャンネル全体に対するスキャンが完了して始めて、サービス情報が表示されるため、スキャンが完了するまでユーザが待たねばならないという不便さがある。
【発明の開示】
【発明が解決しようとする課題】
【０００４】
本発明は、放送検索リストを動的に構成して、放送チャンネルに対する検索情報を提供するための放送受信装置及び放送チャンネル情報の提供方法を提供することを目的とする。本発明はまた、放送検索リストに対してアンサンブル−サービスツリー構造を拡張して、国家及び地域別にアンサンブル及びサービス情報を表示して提供しうる放送チャンネル情報を提供する放送受信装置及び放送チャンネル情報の提供方法を提供することを目的とする。
【課題を解決するための手段】
【０００５】
前記目的を達成するための本発明の一特徴による放送受信装置は、複数のチャンネルのうち一つのチャンネルをチューニングして受信される多数のデジタル放送信号のうち一つの放送信号を出力するチューナ部と、出力された放送信号に含まれたサービス情報を解釈する放送信号処理部と、放送信号処理部から解釈されたサービス情報を保存する保存部と、サービス情報を利用して放送検索リストを動的に生成し、放送検索リストを提供するための画面を生成する制御部と、を備える。
【０００６】
望ましくは、制御部は、保存部に保存されていないサービス情報が受信されれば、受信されたサービス情報を追加して保存するか、または保存されたサービス情報が所定の時間の間に受信されない場合、受信されないサービス情報を削除するように保存部を制御する。
【０００７】
望ましくは、保存部は、放送サービス提供者別地域別のチャンネル情報を保存し、放送サービス提供者別地域別のチャンネル情報は、国家を識別しうる国家情報、国家情報の下位ディレクトリ情報であって該当国家に属する地域を識別しうる地域情報、及び地域情報の下位ディレクトリ情報であって該当地域内で提供しうるアンサンブル及びアンサンブルを受信するためのチャンネル情報を含むアンサンブル情報を含む。
【０００８】
望ましくは、国家情報及び／または地域情報に対する選択信号を入力されるユーザインターフェース部をさらに備え、制御部は、ユーザインターフェース部から受信される国家情報及び／または地域情報に対する選択信号に基づいて、アンサンブル情報を保存部から読み込んで出力部に出力するように制御する。
【０００９】
望ましくは、制御部は、ユーザインターフェース部を通じて受信されるアンサンブル情報に対するユーザ選択信号に基づいて選択されたアンサンブルを受信するためのチャンネルをスキャニングするようにチューナ部を制御し、チャンネルを通じて伝えられるサービス情報を解釈するように放送信号処理部を制御し、解釈されたサービス情報を利用して放送検索リストを動的に生成する。
【００１０】
望ましくは、放送検索リストを提供するための画面を出力する出力部をさらに備え、制御部は、選択信号によって選択された国家情報及び地域情報、保存部に保存されていた選択された国家及び／または地域についてのアンサンブル情報、及び解釈されるサービス情報を利用して構成される放送検索リストを提供する画面を生成し、生成された画面を出力部に出力する。
【００１１】
望ましくは、制御部は、保存部に保存されたサービス情報に対するスキャニング如何を表すために、サービス情報に対するスキャニング如何を表す情報を付加して放送検索リストを提供するための画面を生成する。
【００１２】
望ましくは、制御部は、放送信号処理部から生成されるアンサンブルのビットストリームに対して、ＳＮＲ（信号対雑音比）を計算して受信状態が良好であるか否かを決定し、受信状態を表す情報を付加して放送検索リストを提供するための画面を生成する。
【００１３】
本発明の他の特徴による放送チャンネル情報の提供方法は、所定のデジタル放送チャンネルを通じて伝えられるサービス情報を保存するステップと、サービス情報を利用して放送検索リストを動的に生成するステップと、放送検索リストを提供するための画面を生成するステップとを含む。
【発明の効果】
【００１４】
本発明によれば、ユーザに放送チャンネル情報を提供するための放送検索リストを動的に変更して、提供しうる放送受信装置及び放送チャンネル情報の提供方法を提供しうる。
【００１５】
また、本発明によれば、放送サービス情報に対してアンサンブル−サービスツリー構造を拡張して、ユーザに選択された国家及び地域別に多様なアンサンブル及びサービス情報を提供しうる放送チャンネル情報を提供する放送受信装置及び放送チャンネル情報の提供方法を提供しうる。
【発明を実施するための最良の形態】
【００１６】
以下、添付した図面を参照して本発明の望ましい実施形態について説明する。
【００１７】
図１は、本発明の一実施形態による放送チャンネル情報を提供する放送受信装置の構成を示すブロック図である。図１を参照するに、本発明の一実施形態による放送チャンネル情報を提供する放送受信装置は、アンテナ１１０、チューナ部１２０、放送信号処理部１３０、制御部１４０、ユーザインターフェース部１５０、保存部１６０及び出力部１７０を備える。
【００１８】
チューナ部１２０は、複数のチャンネルのうち一つのチャンネルをチューニングして、アンテナ１１０に受信される多数のデジタル放送信号のうち一つの放送信号を出力する。
【００１９】
放送信号処理部１３０は、チューナ部１２０から出力された放送信号を入力されて、復調及び／またはデコーディングした後に出力部１７０に出力する。また、放送信号処理部１３０は、放送信号に含まれたサービス情報を解釈しうる。
【００２０】
ユーザインターフェース部１５０は、タッチスクリーンやボタンを含んで、ユーザから国家情報及び地域情報に対する選択入力信号またはアンサンブル選択信号を入力されて制御部１４０に伝達する。
【００２１】
保存部１６０には、放送信号処理部１３０から解釈されるサービス情報が保存される。保存部１６０は、放送サービス提供者別地域別のチャンネル情報を保存する。放送サービス提供者別地域別のチャンネル情報は、国家情報、地域情報、アンサンブル情報を含みうる。国家情報は、国家を識別しうる情報であり、地域情報は、国家情報の下位ディレクトリ情報であって、該当国家に属する地域を識別しうる情報である。そして、アンサンブル情報は、地域情報の下位ディレクトリ情報であって、該当地域内でサービスしうるアンサンブル、及び該当アンサンブルを受信するためのチャンネル情報を含む情報である。保存部１６０に保存される国家情報、地域情報及びアンサンブル情報は、ユーザインターフェース部１５０による入力信号によって、または外部機器（図示せず）に連結された通信ラインを通じて修正または追加される。
【００２２】
出力部１７０は、スピーカやＬＣＤ（液晶表示装置）を含み、制御部１４０によって動的に生成された放送検索リストについての画面を出力する。
【００２３】
制御部１４０は、チューナ部１２０、放送信号処理部１３０、ユーザインターフェース部１５０、保存部１６０及び出力部１７０を制御し、放送検索リストを動的に生成する。制御部１４０は、保存部１６０に保存されていないサービス情報が受信されれば、受信されたサービス情報を追加して保存するように保存部１６０を制御しうる。または、制御部１４０は、保存部１６０に保存されたサービス情報が所定の時間の間に受信されない場合、例えば、受信状態が良好な環境で所定の時間の間に受信されない場合、受信されないサービス情報を削除するように保存部１６０を制御しうる。したがって、制御部１４０は、保存部１６０に保存または削除されるサービス情報を利用して放送検索リストを動的に生成しうる。
【００２４】
制御部１４０は、ユーザインターフェース部１５０から受信される国家情報及び／または地域情報に対する選択信号に基づいて、アンサンブル情報を保存部１６０から読み込んで出力部１７０に出力するように制御しうる。ユーザインターフェース部１５０を通じてアンサンブル情報に対するユーザ選択信号が入力されれば、制御部１４０は、チューナ部１２０を制御して選択されたアンサンブルを受信するためのチャンネルをスキャニング可能にする。それにより、放送信号処理部１３０でチャンネルを通じて伝えられるサービス情報が解釈され、制御部１４０は、解釈されたサービス情報を利用して放送検索リストを動的に生成しうる。したがって、制御部１４０は、ユーザから入力される選択信号によって選択された国家情報及び地域情報、保存部１６０に保存されていた選択された国家及び／または地域に対するアンサンブル情報、及びサービス情報を利用して構成される放送検索リストを提供する画面を生成しうる。
【００２５】
また、制御部１４０は、保存部１６０に保存されたサービス情報に対するスキャニング如何を表すために、サービス情報に対するスキャニング如何を表す情報を付加して画面を生成しうる。また、制御部１４０は、放送信号処理部１３０で放送信号を処理する過程で生成されるアンサンブルのビットストリームに対してＳＮＲ（信号対雑音比）を計算して受信状態の良否を決定しうる。したがって、制御部１４０は、放送検索リストを提供するための画面を構成するとき、受信状態を表す情報を付加して構成しうる。
【００２６】
図１に示された放送受信装置は、ＤＭＢ受信装置であり、デジタル放送信号は、ＤＭＢ信号である場合、図１に示された放送信号処理部１３０のブロック図の一例は、図２に示した通りである。
【００２７】
図２を参照するに、放送信号処理部１３０は、チャンネルデコーダ１３１、逆多重化部１３２、デコーダ１３３及びＦＩＣ（Ｆａｓｔ  Ｉｎｆｏｒｍａｔｉｏｎ  Ｃｈａｎｎｅｌ）パーサ１３４を備える。チャンネルデコーダ１３１は、所定方式によってチャンネルデコーディングを行い、逆多重化部１３２は、チャンネルデコーディングされた信号を逆多重化して、図３に示したようなＤＭＢ伝送フレーム３００をデコーダ１３３に出力する。逆多重化部１３２は、ＤＭＢ伝送フレーム３００からＦＩＣ  ３３０を抽出してＦＩＣパーサ１３４に出力する。
【００２８】
ＦＩＣパーサ１３４は、ＦＩＣ  ３３０をパーシングした後、図３を参照して説明するＦＩＧ（Ｆａｓｔ  Ｉｎｆｏｒｍａｔｉｏｎ  Ｇｒｏｕｐ）情報を制御部１４０に提供する。例えば、ＦＩＧ  ０／２（Ｔｈｅ  Ｅｘｔｅｎｓｉｏｎ  ２  ｏｆ  ＦＩＧ  ｔｙｐｅ  ０）は、基本的なサービス構成に関する情報を含んでいる。一つのサービスに適用されるサービスに関する内容技術は、一つのフィールドに含まれている。したがって、制御部１４０は、ＦＩＣパーサ１３４からパーシングされるＦＩＧ  ０／２情報を利用してサービス情報を獲得しうる。
【００２９】
デコーダ１３３は、ＤＡＢ伝送フレーム３００をデコーディングしてデコーディングされた信号をＬＣＤまたはスピーカのような出力部１７０に提供する。デコーダ１３３は、複数のデコーディング手段を含みうる。すなわち、複数のオーディオデコーディング手段、ビデオデコーディング手段を含みうる。
【００３０】
図３は、本発明の一実施形態によるＤＭＢ伝送フレームの構造を示す図である。
【００３１】
ＤＭＢ伝送フレームは、同期チャンネル（Ｓｙｎｃｈｒｏｎｉｚａｔｉｏｎ  Ｃｈａｎｎｅｌ：ＳＣ）３１０、高速情報チャンネル（Ｆａｓｔ  ＩｎｆｏｒｍａｔｉｏｎＣｈａｎｎｅｌ：ＦＩＣ）３３０及び主サービスチャンネル（Ｍａｉｎ  Ｓｅｒｖｉｃｅ  Ｃｈａｎｎｅｌ：ＭＳＣ）３５０で構成されている。
【００３２】
同期チャンネル３１０は、伝送モードを決定しうるＮＵＬシンボルとＯＦＤＭシンボル同期及び搬送波周波数同期に必要な参照シンボルで構成される。
【００３３】
ＦＩＣ  ３３０は、受信装置がデータを処理するために必要な情報、例えば、サービスの構成、多重化された形態に関する情報を伝送するか、または速く伝送される必要があるデータの伝送に使われるチャンネルである。ＦＩＣ  ３３０には、それぞれのサブチャンネルの構造についての情報を含んでいる多重化構成情報（ＭＣＩ：Ｍｕｌｔｉｐｌｅｘ  Ｃｏｎｆｉｇｕｒａｔｉｏｎ  Ｉｎｆｏｒｍａｔｉｏｎ）、そして、それぞれのサービスについての付加情報であるＳＩ（Ｓｅｒｖｉｃｅ  Ｉｎｆｏｒｍａｔｉｏｎ）を含んでいる。したがって、このチャンネルを確認すれば、ＭＳＣを通じてどんなサービスのデータが伝送されているか、そして、サービスがいかなるアプリケーションによって使われるかが分かる。また、ＦＩＣ  ３３０には、所定時間内に速く伝送されねばならないデータを含む高速情報データチャンネル（ＦＩＤＣ：Ｆａｓｔ  Ｉｎｆｏｒｍａｔｉｏｎ  Ｄａｔａ  Ｃｈａｎｎｅｌ）を含む。ＦＩＤＣには、例えば、非常状況に対する簡単なメッセージが含まれる。
【００３４】
ＦＩＣ  ３３０は、ＦＩＢ（Ｆａｓｔ  Ｉｎｆｏｒｍａｔｉｏｎ  Ｂｌｏｃｋ）という複数のブロックで構成される。それぞれのＦＩＢは、ＦＩＢデータフィールドとＣＲＣ（Ｃｙｃｌｉｃａｌ  Ｒｅｄｕｎｄａｎｃｙ  Ｃｈｅｃｋ）フィールドで構成される。ＦＩＢデータフィールドはまた、ＦＩＧで構成される。それぞれのＦＩＧには、ＦＩＧデータフィールドに含まれたデータの形式を知らせるＦＩＧタイプフィールドと、ＦＩＧデータフィールドの長さを知らせる長さフィールドとがヘッダ部に挿入され、次に、実際データがＦＩＧデータフィールドに含まれる。
【００３５】
ＭＳＣ  ３５０は、サービス提供者が提供した実際コンテンツデータを伝送する。ＭＳＣ  ３５０には、ＦＩＣ  ３３０の空間が不足する場合、ＦＩＣデータの一部を載せられるが、ＭＳＣ  ３５０には、タイムインターリービングが適用されて復号化するのに少なくない遅延時間がかかるので、速く伝送されねばならないＦＩＣデータは、込められない。データを伝送する方式には、ストリームモードまたはパケットモードがある。ＭＳＣ  ３５０は、ＣＩＦ（Ｃｏｍｍｏｎ  Ｉｎｔｅｒｌｅａｖｅｄ  Ｆｒａｍｅ）という複数のフレームで構成される。
【００３６】
図４は、本発明の一実施形態によるＤＭＢサービスの多重構造を示す図である。図４を参照するに、本発明の一実施形態によるＤＭＢサービスの多重構造は、アンサンブル、サービス及びサービス要素を有する。
【００３７】
アンサンブルは、複数のエンコーディングされたオーディオストリーム、ビデオストリーム及び複数のデータがそれぞれチャンネルコーディングを経た後、システムデータと共に一つのビットストリームに多重化されたものを称す。一つの放送局で一つのアンサンブルを提供することが一般的である。サービスは、プログラムサービスまたはデータサービスのように、ユーザによって選択される出力を称し、サービス要素は、サービスを構成する要素を称す。与えられたサービスのサービス要素は、ＭＣＩによって相互連結されている。それぞれのサービス要素は、サブチャンネルまたはＦＩＤＣに載せられて伝送される。
【００３８】
本発明の一実施形態によるＤＭＢサービスは、アンサンブル＃０  ４１０及びアンサンブル＃１  ４１５を含む少なくとも２個のアンサンブルを含む。アンサンブル＃０  ４１０は、サービス＃０  ４３０及びサービス＃１  ４３５を含む少なくとも２個のサービスを提供する。サービス＃０  ４３０はまた、サービス要素＃０  ４５０及びサービス要素＃１  ４５５を含む少なくとも２個のサービス要素を含む。
【００３９】
以下では、図１、図５及び図６を参照して、本発明の一実施形態による放送チャンネル情報を提供する放送受信装置で、放送チャンネル情報が提供される方法について説明する。
【００４０】
図５は、本発明の一実施形態による放送チャンネル情報の提供方法を示すフローチャートである。
【００４１】
チューナ部１２０が所定のチャンネルを通じて送信されるデジタル放送信号を出力すれば、放送信号処理部１３０は、放送信号に含まれて伝送されるサービス情報を解釈して制御部１４０に伝達する。例えば、サービス情報は、放送信号処理部１３０のＦＩＣパーサ１３４からパーシングされるＦＩＧ
０／２を確認して獲得しうる。それにより、制御部１４０は、現在チャンネルを通じて伝えられるサービス情報を保存部１６０に保存する（Ｓ５１０）。
【００４２】
制御部１４０は、放送信号処理部１３０から伝えられて保存部１６０に保存されたサービス情報を利用して放送検索リストを動的に生成し（Ｓ５２０）、放送検索リストを提供するための画面を生成しうる。（Ｓ５３０）。
【００４３】
制御部１４０は、保存部１６０に保存されていないサービス情報が受信されれば、受信されたサービス情報を追加して保存するか、または保存されたサービス情報が所定の時間の間に、例えば、受信状態が良好であっても、１分間検索されない場合、検索されないサービス情報を保存部１６０から削除しうる。
【００４４】
また、制御部１４０は、サービス情報に対するスキャニング状態を表すためにサービス情報に付加して、該当サービス情報に対するスキャニング状態を表す情報を付加して画面を生成し、生成された画面を出力部１７０を通じて提供しうる。例えば、以前にスキャニングされて保存されたサービス情報に対して、現在スキャンされなかったことを表す“アンスキャンド（ｕｎ−ｓｃａｎｎｅｄ）”という表示をサービス情報に付加して提供しうる。また、制御部１４０は、現在スキャニングされて確認されたサービス情報が以前に保存されたサービスであれば、“スキャンド（ｓｃａｎｎｅｄ）”という表示をサービス情報に付加して提供しうる。
【００４５】
図６は、本発明の他の実施形態による放送チャンネル情報の提供方法を示すフローチャートである。
【００４６】
ユーザインターフェース部１５０を通じて国家情報及び地域情報に対する選択信号を受信する（Ｓ６１０）。制御部１４０は、ユーザインターフェース部１５０から受信される国家情報及び地域情報に対する選択信号に基づいて、放送信号を通じて受信されるアンサンブル情報を保存部１６０から読み込んでアンサンブル情報を出力部１７０に提供する（Ｓ６２０）。制御部１４０は、アンサンブル情報を１個以上含むアンサンブルリストを生成して、出力部１７０に提供しうる。
【００４７】
次いで、制御部１４０は、ユーザインターフェース部１５０を通じて受信されるアンサンブル情報に対するユーザ選択信号に基づいて、チューナ部１２０を制御して、選択されたアンサンブルを受信するために放送チャンネルをスキャニングする（Ｓ６３０）。制御部１４０の制御にスキャニングされた放送チャンネルを通じて受信される放送信号が放送信号処理部１３０に伝えられ、放送信号処理部１３０は、放送信号を処理してサービス情報を解釈する（Ｓ６４０）。放送信号処理部１３０は、解釈されたサービス情報を制御部１４０に伝達する。
【００４８】
制御部１４０は、ユーザから選択された国家情報及び地域情報、保存部１６０に保存されていた選択された国家及び地域についてのアンサンブル情報、及びサービス情報を利用して構成される放送検索リストを生成して、出力部１７０に提供する（Ｓ６５０）。制御部１４０は、国家情報、地域情報、アンサンブル情報及びサービス情報を含む放送検索リストを提供するために、図７に示したように、ツリー構造の形態で画面を構成しうる。
【００４９】
本発明の放送チャンネル情報の提供方法によれば、ユーザは、国家情報及び地域情報によってアンサンブルを他の周波数で検索しうる。例えば、ユーザが地域Ａから地域Ｂに移動中であるとき、ユーザは、放送受信装置についての地域情報に対する選択を変更しうる。放送受信装置は、このような変更に応答して、地域Ａに対応する地域情報によってアンサンブルを受信するためのチャンネルをスキャニングするか、または地域Ｂに対応する地域情報によってアンサンブルを受信するためのチャンネルをスキャニングしうる。したがって、ユーザは、地域情報を変更しつつ、受信状態がさらに良好なアンサンブルを受信するためのチャンネルをスキャニング可能にして放送サービスを受信しうる。
【００５０】
また、ユーザが同じ国家内で移動中である時だけではなく、国家Ｃから国家Ｄに移動中に放送を視聴するとき、ユーザは、国家情報及び国家情報による地域情報を変更しつつ、放送受信装置は、受信状態がさらに良好なアンサンブルチャンネルをスキャニングするようにして放送サービスを受信しうる。このような構成によって、本発明の放送チャンネル情報を提供する放送受信装置にＧＰＳ装置やＣＤＭＡ通信部を別途に構成せずとも、ユーザは、国家情報及び／または地域情報を変更しつつ、受信状態が良好なチャンネルで放送を視聴しうる。
【００５１】
図７は、本発明の一実施形態による放送チャンネル情報の提供方法による放送チャンネル情報提供画面を示す図である。図７に示したように、本発明の放送チャンネル情報を提供する放送受信装置及び放送チャンネル情報の提供方法によれば、国家情報、国家情報の下位ディレクトリ情報としての地域情報、地域情報の下位ディレクトリ情報としての該当地域内でサービスしうるアンサンブル情報、及びアンサンブル情報の下位ディレクトリ情報としてのアンサンブルチャンネルに含まれるサービス情報をユーザに提供しうる。地域リストは、ユーザが現在選択された地域と隣接した地域のリストを容易に探せるように、現在選択された地域に近く隣接した地域を表示しうる。
【００５２】
例えば、ユーザが韓国及びソウル、京畿地域を選択すれば、放送受信装置は、韓国のソウル、京畿地域で受信されるアンサンブル情報、例えば、ＫＢＳ、ＭＢＣ、ＳＢＳを提供する。ユーザがＫＢＳを選択すれば、放送チャンネル情報を提供するための放送受信装置は、ＫＢＳを受信するためのチャンネルをスキャンしてＤＭＢ１、ＫＢＳ  ＭＵＳＩＣ、ＫＢＳ経済を含むサービス情報を放送検索リストとして提供しうる。したがって、サービス情報は、前述したように、放送信号をスキャンして動的に構成される。
【００５３】
また、ユーザがソウル、京畿地域から江原地域に移動中であるとき、放送受信装置に韓国の江原地域で受信されるＫＢＳを受信するためのチャンネルをスキャンするようにして、受信がさらに良くなる放送チャンネルを通じてデジタル放送を視聴しうる。したがって、ユーザは、国家−地域−アンサンブル−サービス情報に拡張された放送チャンネル情報提供画面を提供され、国家情報や地域情報を変更しつつ、さらによく受信されるチャンネルを選択して放送サービスを受信しうる。
【００５４】
本発明による放送チャンネル情報の提供方法は、コンピュータで読み取り可能な記録媒体にコンピュータ可読コードとして具現される。前記プログラムを具現するコード及びコードセグメントは、当該分野のコンピュータプログラマーによって容易に推論される。コンピュータで読み取り可能な記録媒体は、コンピュータシステムによって読み取られるデータが保存される全ての種類の記録装置を含む。コンピュータで読み取り可能な記録媒体の例としては、ＲＯＭ（リード  オンリ  メモリ）、ＲＡＭ（ランダム  アクセス  メモリ）、ＣＤ−ＲＯＭ、磁気テープ、フロッピー（登録商標）ディスク、光ディスクがあり、また、キャリアウェーブ（例えば、インターネットを通じた伝送）の形態で具現されるものを含む。また、コンピュータで読み取り可能な記録媒体は、ネットワークに連結されたコンピュータシステムに分散され、分散方式でコンピュータ可読コードで保存され、かつ実行される。
【００５５】
以上、前述したように、ユーザに放送チャンネル情報を提供するための放送検索リストを動的に変更して提供しうる放送受信装置及び放送チャンネル情報の提供方法を提供しうる。
【００５６】
また、本発明によれば、放送サービス情報に対してアンサンブル−サービスツリー構造を拡張して、ユーザに選択された国家及び地域別に多様なアンサンブル及びサービス情報を提供しうる放送チャンネル情報を提供する放送受信装置及び放送チャンネル情報の提供方法を提供しうる。
【００５７】
また、本発明によれば、ユーザが国家情報及び／または地域情報を変更しつつ、アンサンブルチャンネルを検索しうるので、ユーザは、国家間移動中または地域間移動中に受信状態が良好なチャンネルを選択して放送サービスを提供される。
【００５８】
以上の説明は、本発明の一実施形態に過ぎず、当業者は、本発明の本質的特性から逸脱しない範囲で変形された形態で具現しうるであろう。したがって、本発明の範囲は、前述した実施形態に限定されず、特許請求の範囲に記載された内容と同等な範囲内にある多様な実施形態が含まれるように解釈されねばならない。
【図面の簡単な説明】
【００５９】
【図１】本発明の一実施形態による放送チャンネル情報を提供する放送受信装置の構成を示すブロック図である。
【図２】図１に示された放送信号処理部の一例を示すブロック図である。
【図３】本発明の一実施形態によるＤＭＢ伝送フレームの構造を示す図である。
【図４】本発明の一実施形態によるＤＭＢサービスの多重構造を示す図である。
【図５】本発明の一実施形態による放送チャンネル情報の提供方法を示すフローチャートである。
【図６】本発明の他の実施形態による放送チャンネル情報の提供方法を示すフローチャートである。
【図７】本発明の一実施形態による放送チャンネル情報の提供方法による放送チャンネル情報の提供画面を示す図である。
【図１】
2009518938.tif 000003
【図２】
2009518938.tif 000004
【図３】
2009518938.tif 000005
【図４】
2009518938.tif 000006
【図５】
2009518938.tif 000007
【図６】
2009518938.tif 000008
【図７】
2009518938.tif 000009
【国際調査報告】
2009518938.tif 000010
2009518938.tif 000011